(57)【特許請求の範囲】
【請求項１】
基地局が端末の所在する協調マルチポイントＣｏＭＰ集合における前記端末の主セルと協調セルの両方のためにダウンリンク電力パラメータを設定することと、
前記基地局が前記端末に前記ダウンリンク電力パラメータを通知することと、を含み、
前記ダウンリンク電力パラメータは、セル特定パラメータＰＢ、セル特定パラメータ基準信号電力ＰＲＳ及び端末特定パラメータＰＡを含み、
前記基地局が端末の所在するＣｏＭＰ集合における前記端末の主セルと協調セルの両方のためにダウンリンク電力パラメータを設定するのは、
ＣｏＭＰのＤＰＳメカニズムを用いる際に、前記基地局が、前記端末の主セルのためにダウンリンク電力パラメータを設定及び前記端末の協調セルのためにダウンリンク電力パラメータを設定し、且つ使用される単一のセルを選択した後に、前記端末の主セルのダウンリンク電力パラメータを、選択した使用される単一のセルのダウンリンク電力パラメータに修正することを含むダウンリンク電力パラメータの設定方法。
【請求項２】
前記基地局が前記端末に前記ダウンリンク電力パラメータを通知するのは、
前記基地局が前記ＤＰＳメカニズムで選択した使用される単一のセルのダウンリンク電力パラメータを前記端末に送信することを含む請求項１に記載の方法。
【請求項３】
端末の所在する協調マルチポイントＣｏＭＰ集合における前記端末の主セルと協調セルの両方のためにダウンリンク電力パラメータを設定するように設定される基地局電力パラメータ設定及び制約ユニットと、
前記端末に前記ダウンリンク電力パラメータを通知するように設定される基地局電力パラメータ選択及びシグナリング送信ユニットと、を含み、
前記ダウンリンク電力パラメータは、セル特定パラメータＰＢ、セル特定パラメータ基準信号電力ＰＲＳ及び端末特定パラメータＰＡを含み、
前記基地局電力パラメータ設定及び制約ユニットは、
前記端末の主セルのためにダウンリンク電力パラメータを設定及び前記端末の協調セルのためにダウンリンク電力パラメータを設定し、且つ使用される単一のセルを選択した後に、前記端末の主セルのダウンリンク電力パラメータを、選択した使用される単一のセルのダウンリンク電力パラメータに修正するという方式で、端末の所在するＣｏＭＰ集合における前記端末の主セルと協調セルの両方のためにダウンリンク電力パラメータを設定するように設定されるダウンリンク電力パラメータの設定装置。
【請求項４】
前記基地局電力パラメータ選択及びシグナリング送信ユニットは、
前記基地局電力パラメータ設定及び制約ユニットが前記端末の主セルと協調セルのためにそれぞれ独立なダウンリンク電力パラメータを設定する際に、前記ＤＰＳメカニズムで選択した使用される単一のセルのダウンリンク電力パラメータを前記端末に送信するという方式で、前記端末に前記ダウンリンク電力パラメータを通知するように設定される請求項３に記載の装置。
【発明の詳細な説明】
【技術分野】
【０００１】
本発明は無線通信分野に関し、特にダウンリンク電力パラメータの設定方法及び装置に関する。
【背景技術】
【０００２】
人々の未来の無線通信への要求の持続的向上に伴って、セルエッジのスペクトル効率とユーザーエクスペリエンス（user experience）が更に重視され、如何にセルエッジの伝送品質とスループットを高めるかが研究する課題となる。ＣｏＭＰ（Coordinated Multi-Point、協調マルチポイント）技術は、複数のアクセスポイント（Access Point、AP）のアンテナを用いて協調伝送及び受信して、効果的にセルエッジの干渉問題を解決できることによって、無線リンクの容量と信頼性を向上させる。したがって、ＣｏＭＰ技術は重要な技術としてＬＴＥ−Ａ（Long Term Evolution-Advanced、高度ロングタームエボリューション）システムに導入されている。
【０００３】
ＣｏＭＰ技術におけるＪＴ（Joint Transmission、結合送信）メカニズムは、主セルと協調セルでＰＤＳＣＨ（Physical Downlink Shared Channel、物理ダウンリンクリンク共有チャネル）を結合送信する方法を用いる。ＤＰＳ（Dynamic Point Selection、ダイナミックポイント選択）メカニズムは、主セルと協調セルから端末までのチャネル状況に基づき、動的に単一のセルを選択してＰＤＳＣＨを送信する。
【０００４】
つまり、ＣｏＭＰ ＪＴとＤＰＳメカニズムを使用する際に、いずれも協調セルによりＰＤＳＣＨを送信する可能性が存在する。この場合に、ダウンリンクチャネル推定の幅誤差は大きくなり、システムの性能に影響してしまう。
【発明の概要】
【発明が解決しようとする課題】
【０００５】
本発明の実施例は、ダウンリンクチャネル推定の幅推定が不正確である問題を解決して、システムの性能を向上させるダウンリンク電力パラメータの設定方法及び装置を提供する。
【課題を解決するための手段】
【０００６】
本発明の実施例は、ダウンリンク電力パラメータの設定方法を提供し、
基地局が端末の所在する協調マルチポイントＣｏＭＰ集合における前記端末の主セルと協調セルの両方のためにダウンリンク電力パラメータを設定することと、
前記基地局が前記端末に前記ダウンリンク電力パラメータを通知することと、を含む。
【０００７】
選択的に、前記基地局が端末の所在するＣｏＭＰ集合における前記端末の主セルと協調セルの両方のためにダウンリンク電力パラメータを設定するのは、
ＣｏＭＰの結合送信ＪＴメカニズムを用いる際に、前記基地局が前記端末の主セルと協調セルが同じ異なる符号の間の電力比を用いるように設定することを含む。
【０００８】
選択的に、前記ダウンリンク電力パラメータはセル特定パラメータＰＢを含み、
前記基地局が端末の所在するＣｏＭＰ集合における前記端末の主セルと協調セルの両方のためにダウンリンク電力パラメータを設定するのは、
ＣｏＭＰの結合送信ＪＴメカニズムを用いる際に、前記基地局が前記端末の主セルと協調セルが同じＰＢを用いるように設定することを含む。
【０００９】
選択的に、前記基地局が端末の所在するＣｏＭＰ集合における前記端末の主セルと協調セルの両方のためにダウンリンク電力パラメータを設定するのは、
ＣｏＭＰのダイナミックポイント選択ＤＰＳメカニズムを用いる際に、前記基地局が前記端末の主セルと協調セルが同じ基準信号電力パラメータ、ＣＲＳを含む同じＯＦＤＭ符号電力パラメータ、及びＣＲＳを含まない同じＯＦＤＭ符号電力パラメータを用いるように設定することを含む。
【００１０】
選択的に、前記ダウンリンク電力パラメータは、セル特定パラメータＰＢ、セル特定パラメータ基準信号電力ＰＲＳ及び端末特定パラメータＰＡを含み、
前記基地局が端末の所在するＣｏＭＰ集合における前記端末の主セルと協調セルの両方のためにダウンリンク電力パラメータを設定するのは、
ＣｏＭＰのダイナミックポイント選択ＤＰＳメカニズムを用いる際に、前記基地局が前記端末の主セルと協調セルが同じＰＢ、ＰＲＳ及びＰＡを用いるように設定することを含む。
【００１１】
選択的に、前記ダウンリンク電力パラメータは、ＰＢ、ＰＲＳ及びＰＡを含み、
前記基地局が端末の所在するＣｏＭＰ集合における前記端末の主セルと協調セルの両方のためにダウンリンク電力パラメータを設定するのは、
ＣｏＭＰのＤＰＳメカニズムを用いる際に、前記基地局が前記端末の主セルのためにダウンリンク電力パラメータを設定して前記端末の協調セルのためにダウンリンク電力パラメータを設定し、且つ使用される単一のセルを選択した後に、前記端末の主セルのダウンリンク電力パラメータを、選択した使用される単一のセルのダウンリンク電力パラメータに修正することを含む。
【００１２】
選択的に、前記ダウンリンク電力パラメータは、セル特定パラメータＰＢ、セル特定パラメータ基準信号電力ＰＲＳ及び端末特定パラメータＰＡを含み、
前記基地局が端末の所在するＣｏＭＰ集合における前記端末の主セルと協調セルの両方のためにダウンリンク電力パラメータを設定するのは、
ＣｏＭＰのＤＰＳメカニズムを用いる際に、前記基地局が前記端末の主セルと協調セルのためにそれぞれ独立なダウンリンク電力パラメータを設定することを含む。
【００１３】
選択的に、基地局が前記端末に前記ダウンリンク電力パラメータを通知するのは、
前記基地局が前記ＤＰＳメカニズムで選択した使用される単一のセルのダウンリンク電力パラメータを前記端末に送信することを含む。
【００１４】
本発明の実施例は、ダウンリンク電力パラメータの設定装置を更に提供し、基地局電力パラメータ設定及び制約ユニットと、基地局電力パラメータ選択及びシグナリング送信ユニットを含み、
前記基地局電力パラメータ設定及び制約ユニットは、端末の所在する協調マルチポイントＣｏＭＰ集合における前記端末の主セルと協調セルの両方のためにダウンリンク電力パラメータを設定するように設定され、
前記基地局電力パラメータ選択及びシグナリング送信ユニットは、前記端末に前記ダウンリンク電力パラメータを通知するように設定される。
【００１５】
選択的に、前記基地局電力パラメータ設定及び制約ユニットは、
ＣｏＭＰの結合送信ＪＴメカニズムを用いる際に、前記端末の主セルと協調セルが同じ異なる符号の間の電力比を用いるように設定するという方式で、端末の所在するＣｏＭＰ集合における前記端末の主セルと協調セルの両方のためにダウンリンク電力パラメータを設定するように設定される。
【００１６】
選択的に、前記ダウンリンク電力パラメータは、セル特定パラメータＰＢを含み、
前記基地局電力パラメータ設定及び制約ユニットは、
ＣｏＭＰの結合送信ＪＴメカニズムを用いる際に、前記端末の主セルと協調セルが同じＰＢを用いるように設定するという方式で、端末の所在するＣｏＭＰ集合における前記端末の主セルと協調セルの両方のためにダウンリンク電力パラメータを設定するように設定される。
【００１７】
選択的に、前記基地局電力パラメータ設定及び制約ユニットは、
ＣｏＭＰのダイナミックポイント選択ＤＰＳメカニズムを用いる際に、前記端末の主セルと協調セルが同じ基準信号電力パラメータ、ＣＲＳを含む同じＯＦＤＭ符号電力パラメータ、及びＣＲＳを含まない同じＯＦＤＭ符号電力パラメータを用いるように設定するという方式で、端末の所在するＣｏＭＰ集合における前記端末の主セルと協調セルの両方のためにダウンリンク電力パラメータを設定するように設定される。
【００１８】
選択的に、前記ダウンリンク電力パラメータは、セル特定パラメータＰＢ、セル特定パラメータ基準信号電力ＰＲＳ及び端末特定パラメータＰＡを含み、
前記基地局電力パラメータ設定及び制約ユニットは、
ＣｏＭＰのダイナミックポイント選択ＤＰＳメカニズムを用いる際に、前記端末の主セルと協調セルが同じＰＢ、ＰＲＳ及びＰＡを用いるように設定し、或いは、
前記端末の主セルのためにダウンリンク電力パラメータを設定して前記端末の協調セルのためにダウンリンク電力パラメータを設定し、且つ使用される単一のセルを選択した後に、前記端末の主セルのダウンリンク電力パラメータを、選択した使用される単一のセルのダウンリンク電力パラメータに修正し、或いは、
前記端末の主セルと協調セルのためにそれぞれ独立なダウンリンク電力パラメータを設定するという方式で、端末の所在するＣｏＭＰ集合における前記端末の主セルと協調セルの両方のためにダウンリンク電力パラメータを設定するように設定される。
【００１９】
選択的に、前記基地局電力パラメータ選択及びシグナリング送信ユニットは、
前記基地局電力パラメータ設定及び制約ユニットは、前記端末の主セルと協調セルのためにそれぞれ独立なダウンリンク電力パラメータを設定する際に、前記ＤＰＳメカニズムで選択した使用される単一のセルのダウンリンク電力パラメータを前記端末に送信するという方式で、前記端末に前記ダウンリンク電力パラメータを通知するように設定される。
【発明の効果】
【００２０】
以上のように、本発明は、端末の所在するＣｏＭＰ集合における主セルと協調セルの両方のためにダウンリンク電力パラメータを設定して、且つ端末にダウンリンク電力パラメータを通知し、端末ダウンリンクチャネル推定の不正確によるシステム性能問題を解決して、システムの性能を向上させることができる。
【図面の簡単な説明】
【００２１】
【図１】図１は、本発明の実施形態におけるダウンリンク電力パラメータ設定の方法を示すフローチャートである。
【図２】図２は、本発明の実施形態におけるダウンリンク電力パラメータ設定の装置を示すアーキテクチャ図である。
【図３】図３は、本発明の実施形態における端末を示すアーキテクチャ図である。
【発明を実施するための形態】
【００２２】
以下、図面を参照して、本発明の実施例を詳細に説明する。なお、矛盾が生じない場合は、本願における実施例及び実施例における特徴を互いに任意に組み合わせることができる。
【００２３】
高いレベル設定のρＢ／ρＡは１ではない可能性があり、即ち、ρＡとρＢは等しくない可能性があることを考慮して、ρＡとρＢの定義から分かるように、ρＡとρＢは等しくない場合に、ＣＲＳ（Cell-specific Reference Signals、セル特定基準信号）を含むＯＦＤＭ（直交周波数分割多重、Orthogonal Frequency Division Multiplexing）符号とＣＲＳを含まないＯＦＤＭ符号の電力は異なり、ＣｏＭＰ ＪＴ／ＤＰＳメカニズムを使用する際に、第３世代パートナーシッププロジェクト（the 3rd Generation Partnership Project、３ＧＰＰ）バージョン１０／１１（Ｒ１０／Ｒ１１）標準に準じ、端末はその常駐セルのＰＡ、ＰＢ及びＣＲＳ電力設定値（即ち、ＰＲＳ）だけが分かり、常駐セルと協調セルのこれらの値は異なる可能性があり、常駐セルと協調セルのρＢ／ρＡを異ならせる可能性もあり、ＵＥ−ＲＳ（UE-specific Reference Signals、ユーザ特定基準信号）（ＤＭＲＳ（Demodulation Reference Signals、復調基準信号）とも呼ばれる）を使用してダウンリンクチャネル推定を行う際に、ＤＭＲＳ電力と常駐セルのＣＲＳを含まないＯＦＤＭ符号の電力は一致し、常駐セルのＣＲＳを含むＯＦＤＭ符号はＣＲＳを含まないＯＦＤＭ符号と電力が異なるため、ＤＭＲＳ電力は常駐セルのＣＲＳを含むＯＦＤＭ符号の電力と不一致であり、また、常駐セルと協調セルのρＢ／ρＡは異なる可能性もあるため、ＤＭＲＳ電力は協調セルのＯＦＤＭ符号の電力と不一致である可能性もあり、更に、ダウンリンクチャネル推定の幅誤差が大きくなる。
【００２４】
ρＡは、符号の中でセル基準信号を含まないＰＤＳＣＨリソース要素のエネルギーとセル基準信号リソース要素のエネルギーの比を代表し、ρＢは、符号の中でセル基準信号を含むＰＤＳＣＨリソース要素のエネルギーとセル基準信号リソース要素のエネルギーの比を代表する。
【００２５】
本実施形態において、基地局は、端末の所在するＣｏＭＰ集合における主セルと協調セルの両方のためにダウンリンク電力パラメータを設定して、ダウンリンクチャネル推定の幅が不正確である問題を解決する。
【００２６】
以下、図面を参照して、本実施形態のダウンリンク電力パラメータの設定方法を説明する。
【００２７】
図１に示すように、本実施形態のダウンリンク電力パラメータの設定方法は、以下のステップ１０１〜１０４を含む。
【００２８】
ステップ１０１、基地局は、端末の所在するＣｏＭＰ ＪＴ／ＤＰＳ集合内の各セルのダウンリンク電力パラメータを設定して、ＰＢ、ＰＲＳ及びＰＡ等を含む。
【００２９】
（一）、ＪＴメカニズムを用いると、基地局は、ＣｏＭＰ ＪＴ集合内のすべてのセルの異なる符号の間の電力比が同じであるように設定する。
【００３０】
ＪＴメカニズムを用いると、基地局は、ＣｏＭＰ ＪＴ集合内のすべてのセルが同じＰＢを用い、即ち、ＣｏＭＰ ＪＴ集合におけるすべてのセルのρＢ／ρＡが同じであることを確保し、すべてのセルの異なる符号の間の電力比が同じであるように設定する。
【００３１】
ここで、先に設定して後に制約する方法（先に各セルのダウンリンク電力パラメータを設定して、次に、協調セルのＰＢと常駐セルのＰＢが同じであるように保持し、常駐セルのＰＢと協調セルのＰＢが同じであるように保持してもよい）を用いて、ＰＢは同じである制約条件で、同時に各セルの電力パラメータを設定する方法を用いることもできる。また、ＣｏＭＰ ＪＴ集合内のセルのために同じＰＲＳ、ＰＡを設定してよく、異なるＰＲＳ、ＰＡを設定してもよい。
【００３２】
関連技術において単一のセル（常駐セル、即ち、主セル）のダウンリンク電力パラメータだけを設定し、ＪＴ集合における協調セルのダウンリンク電力パラメータを設定及び制約しないため、端末は、受信した常駐セルのダウンリンク電力パラメータに基づき、マルチセルが結合送信したデータに対して正確にチャネル推定を行うことができない。本実施形態は、マルチセルのダウンリンク電力パラメータを設定して、且つ集合内のセルのＰＢが等しい制約条件を増加することによって、チャネル推定幅が不正確である問題を解決する。
【００３３】
（二）、DPSメカニズムを用いると、基地局は、ＣｏＭＰ ＤＰＳ集合内の各セルのダウンリンク電力パラメータを設定して制約する。基地局は、先にパラメータを設定して、更にパラメータ関係の制約を行ってもよく、パラメータ関係の制約条件でパラメータを設定してもよい。本ステップは、以下の操作方式（１）〜（３）を含むことができる。
【００３４】
（１）、基地局は、ＣｏＭＰ ＤＰＳ集合内のすべての協調セルが常駐セルと同じであるダウンリンク電力パラメータを用いるように設定して制約し、基準信号電力パラメータ及び異なるＯＦＤＭ符号の電力パラメータがいずれも対応的に同じであることを含む。
【００３５】
基地局は、ＣｏＭＰ ＤＰＳ集合内のすべての協調セルが常駐セルと同じであるダウンリンク電力パラメータＰＢ、ＰＲＳ及びＰＡを用いるように設定して制約する。
【００３６】
関連技術において単一のセルのダウンリンク電力パラメータだけを設定し、ＤＰＳ集合における協調セルのダウンリンク電力パラメータを設定及び制約しない。ＤＰＳメカニズムによって協調セルがダウンリンクデータを送信するようにスケジューリングする際に、端末は、受信した常駐セルのダウンリンク電力パラメータに基づき、協調セルが送信したデータに対して正確にチャネル推定を行うことができない。本実施形態は、マルチセルのダウンリンク電力パラメータを設定して、以上の制約条件を増加することによって、チャネル推定幅が不正確である問題を解決する。
【００３７】
（２）、基地局は、それぞれ常駐セルと協調セルのためにダウンリンク電力パラメータを設定して、且つＤＰＳメカニズムで使用される単一のセルを選択した後に、基地局は、端末の常駐セルのダウンリンク電力パラメータをＤＰＳによって選択した使用される単一のセルのダウンリンク電力パラメータに変更する。
【００３８】
関連技術において単一のセル（常駐セル）のダウンリンク電力パラメータだけを設定し、ＤＰＳ集合における協調セルのダウンリンク電力パラメータに対して設定及び制約を行わない。ＤＰＳメカニズムによって協調セルがダウンリンクデータを送信するようにスケジューリングする際に、端末は、受信した常駐セルのダウンリンク電力パラメータに基づき、協調セルが送信したデータに対して正確にチャネル推定を行うことができない。本実施形態は、マルチセルのダウンリンク電力パラメータを設定して、以上の制約条件を増加することによって、チャネル推定幅が不正確である問題を解決する。
【００３９】
（３）、基地局は、ＣｏＭＰ ＤＰＳ集合内の各セルのダウンリンク電力パラメータを設定して、セル間のパラメータ関係を制約しなく、それぞれ独立なダウンリンク電力パラメータを設定する。
【００４０】
関連技術において単一のセル（常駐セル）のダウンリンク電力パラメータを設定して通知し、ＤＰＳ集合における協調セルのダウンリンク電力パラメータを設定、制約及び通知しない。ＤＰＳメカニズムによって協調セルがダウンリンクデータを送信するようにスケジューリングする際に、端末は、受信した常駐セルの電力パラメータに基づき、協調セルが送信したデータに対して正確にチャネル推定を行うことができない。本実施形態は、マルチセルのダウンリンク電力パラメータを設定して、且つ以下で選択した通知操作を増加することによって、チャネル推定幅が不正確である問題を解決する。
【００４１】
本実施形態において、先に各セルのダウンリンク電力パラメータを設定して、ＤＰＳセルがデータを送信するようにスケジューリングする際に、更に以下の通知操作を行ってもよく、ＤＰＳセルのダウンリンク電力パラメータを設定した後（全部のセルの電力パラメータを設定しておく必要がない）に、直ちに以下の通知操作を実行してもよい。
【００４２】
ステップ１０２、基地局は、端末のダウンリンク電力パラメータＰＢ、ＰＲＳ及びＰＡ等を選択して通知する。
【００４３】
（一）、ステップ１０１における（一）に対して、用いたのがＪＴメカニズムであると、基地局は、ＲＲＣ（Radio Resource Control、無線リソース制御）シグナリングによって端末の常駐セルのダウンリンク電力パラメータを選択して通知することができる。
【００４４】
（二）、ステップ１０１における（二）に対して、用いたのがＤＰＳメカニズムであると、基地局が端末のダウンリンク電力パラメータを選択して通知するのは、
ステップ１０１における（二）での（１）と（２）に対して、基地局が常駐セルのダウンリンク電力パラメータを選択して、且つＲＲＣシグナリングによって端末に通知する操作方式（１）と、
ステップ１０１における（二）での（３）に対して、基地局がＤＰＳの選択した使用される単一のセルのダウンリンク電力パラメータを選択して、且つＲＲＣシグナリングンによって端末に通知する操作方式（２）と、を含むことができる。
【００４５】
ステップ１０３、端末は、ＰＤＳＣＨ、ＤＭＲＳ及びダウンリンク電力パラメータＰＢ、ＰＲＳ及びＰＡ等の情報を受信して、且つＤＭＲＳを基準信号とするチャネル推定を行い、ダウンリンクチャネルＨを取得する。
【００４６】
（一）、ステップ１０２での（一）に対して、用いたのがＪＴメカニズムであると、端末は、受信したのが常駐セルのダウンリンク電力パラメータとデータであり、正確なパラメータ制約を行ったと認定し、且つこれらの電力パラメータを用いてＤＭＲＳチャネル推定を行う。
【００４７】
（二）、ステップ１０２での（二）に対して、用いたのがＤＰＳメカニズムであると、
ステップ１０２における（二）での（１）に対して、端末が、受信したのが常駐セルのダウンリンク電力パラメータ及びデータであり、正確なパラメータ制約を行ったと認定し、これらの電力パラメータを用いて正確なＤＭＲＳチャネル推定を行う操作方式（１）と、
ステップ１０２における（二）での（２）に対して、端末が、受信したのがＤＰＳによって選択した単一のセルのダウンリンク電力パラメータ及びデータであり、正確なパラメータ制約を行ったと認定し、これらの電力パラメータを用いて正確なＤＭＲＳチャネル推定を行う操作方式（２）と、を含むことができる。
【００４８】
ステップ１０４、端末は、ＤＭＲＳチャネル推定によって得られたダウンリンクチャネルＨを利用して、ＣｏＭＰ ＪＴ／ＤＰＳセルが送信したＰＤＳＣＨデータを復調する。
【００４９】
基地局がダウンリンク電力パラメータを正確に設定、制約、選択及び通知したため、端末のダウンリンクチャネル推定の不正確によるシステム性能問題は解決される。
【００５０】
図２に示すように、本実施形態は、ダウンリンク電力パラメータの設定装置を更に提供し、基地局電力パラメータ設定及び制約ユニット２１と、基地局電力パラメータ選択及びシグナリング送信ユニット２２を含み、
基地局電力パラメータ設定及び制約ユニット２１は、端末の所在するＣｏＭＰ集合における端末の主セルと協調セルの両方のためにダウンリンク電力パラメータを設定することに用いられ、
基地局電力パラメータ選択及びシグナリング送信ユニット２２は、端末にダウンリンク電力パラメータを通知することに用いられる。
【００５１】
基地局電力パラメータ設定及び制約ユニット２１は、
ＣｏＭＰの結合送信ＪＴメカニズムを用いる際に、端末の主セルと協調セルが同じ異なる符号の間の電力比を用いるように設定するという方式で、端末の所在するＣｏＭＰ集合における端末の主セルと協調セルの両方のためにダウンリンク電力パラメータを設定することに用いられる。
【００５２】
ダウンリンク電力パラメータは、セル特定パラメータＰＢを含み、
基地局電力パラメータ設定及び制約ユニット２１は、
ＣｏＭＰのＪＴメカニズムを用いる際に、端末の主セルと協調セルが同じＰＢを用いるように設定するという方式で、端末の所在するＣｏＭＰ集合における端末の主セルと協調セルの両方のためにダウンリンク電力パラメータを設定することに用いられる。
【００５３】
基地局電力パラメータ設定及び制約ユニット２１は、
ＣｏＭＰのダイナミックポイント選択ＤＰＳメカニズムを用いる際に、端末の主セルと協調セルが同じ基準信号電力パラメータ、ＣＲＳを含む同じＯＦＤＭ符号電力パラメータ、及びＣＲＳを含まない同じＯＦＤＭ符号電力パラメータを用いるように設定するという方式で、端末の所在するＣｏＭＰ集合における端末の主セルと協調セルの両方のためにダウンリンク電力パラメータを設定することに用いられる。
【００５４】
ダウンリンク電力パラメータは、セル特定パラメータＰＢ、セル特定パラメータ基準信号電力ＰＲＳ及び端末特定パラメータＰＡを含み、
基地局電力パラメータ設定及び制約ユニット２１は、
ＣｏＭＰのＤＰＳメカニズムを用いる際に、端末の主セルと協調セルが同じＰＢ、ＰＲＳ及びＰＡを用いるように設定し、或いは、それぞれ端末の主セルと協調セルのためにダウンリンク電力パラメータを設定して、且つ使用される単一のセルを選択した後に、端末の主セルのダウンリンク電力パラメータを、選択した使用される単一のセルのダウンリンク電力パラメータに修正し、或いは、端末の主セルと協調セルのためにそれぞれ独立なダウンリンク電力パラメータを設定するという方式で、端末の所在するＣｏＭＰ集合における端末の主セルと協調セルの両方のためにダウンリンク電力パラメータを設定することに用いられる。
【００５５】
基地局電力パラメータ選択及びシグナリング送信ユニット２２は、
基地局電力パラメータ設定及び制約ユニット２１が端末の主セルと協調セルのためにそれぞれ独立なダウンリンク電力パラメータを設定する際に、ＤＰＳメカニズムで選択した使用される単一のセルのダウンリンク電力パラメータを端末に送信するという方式で、端末にダウンリンク電力パラメータを通知することに用いられる。
【００５６】
図３に示すように、本実施形態は、端末を更に提供し、端末電力パラメータ受信及びチャネル推定ユニット３１と、ダウンリンクデータ復調ユニット３２を含み、
端末電力パラメータ受信及びチャネル推定ユニット３１は、ＰＤＳＣＨ、ＤＭＲＳ及びダウンリンク電力パラメータＰＢ、ＰＲＳ及びＰＡ等の情報を受信して、且つＤＭＲＳを基準信号とするチャネル推定を行い、ダウンリンクチャネルＨを取得することに用いられ、
ダウンリンクデータ復調ユニット３２は、ＤＭＲＳチャネル推定によって得られたダウンリンクチャネルＨを利用して、ＣｏＭＰ ＪＴ／ＤＰＳセルが送信したＰＤＳＣＨデータを復調することに用いられる。
【００５７】
無論、当業者は、上記の本発明の各モジュール又は各ステップは、汎用の計算装置によって実現することができ、それらは単一の計算装置に集積してもよく、又は複数の計算装置からなるネットワークに配布されてもよく、選択的に、それらは、計算装置が実行可能なプログラムコードで実現してもよく、それにより、それらを記憶装置に記憶して計算装置で実行してもよく、或いはそれらをそれぞれ各集積回路モジュールに製作し、或いはそれらにおける複数のモジュール又はステップを単一の集積回路モジュールに製作して実現してもよいことを了解すべきである。このように、本発明の実施例は、いずれの特定のハードウェアとソフトウェアの組み合わせに限定されたものではない。
【００５８】
以上は単に本発明の好ましい実施例であるだけで、本発明を制限するためのものではなく、当業者にとって、本発明は様々な変更と変化を行うことができる。本発明の主旨と原則内にある限り、行ったいずれの修正、等価置き換え、改善などは、いずれも本発明に付属する請求項の保護範囲に含まれるべきである。
【産業上の利用可能性】
【００５９】
本発明の実施例の方法及び装置によれば、端末ダウンリンクチャネルの推定の不正確によるシステム性能問題を解決して、システムの性能を向上させることができる。
【図１】
0006041999.tif 000002
【図２】
0006041999.tif 000003
【図３】
0006041999.tif 000004